(57)【要約】【課題】トレイを筐体に収納した場合にはトレイを筐体に確実に固定でき、トレイを筐体に移動する場合にはトレイの移動をスムーズにでき、さらに薄型化が可能な光ディスク装置を提供することを目的とする。【解決手段】本発明の光ディスク装置は、光ディスクを載置するトレイ３と、トレイ３を収納する筐体と、トレイ３を筐体内に移動させるレールとを備え、トレイ３はレールが沿って移動するレール案内部６を有し、レール案内部６の端部領域６ａに隆起部５０を設けたことを特徴とする。【選択図】図５
2007280521.tif 000002
【特許請求の範囲】
【請求項１】
光ディスクを載置するトレイと、前記トレイを収納する筐体と、前記トレイを前記筐体内に移動させるレールとを備え、前記トレイは前記レールが沿って移動するレール案内部を有し、前記レール案内部の端部領域に隆起部を設けたことを特徴とする光ディスク装置。
【請求項２】
光ディスクを載置するトレイと、前記トレイを収納する筐体と、前記トレイを前記筐体内に移動させるレールとを備え、前記トレイは前記レールが沿って移動するレール案内部を有し、前記レール案内部は中央領域に向かうに従って窪んでいることを特徴とする光ディスク装置。
【請求項３】
前記隆起部の高さは、レール内部の高さと略同一であることを特徴とする請求項１記載の光ディスク装置。
【請求項４】
前記隆起部以外の中央領域は、前記トレイを前記筐体に収納した場合に前記レール内部の上面及び下面との間に空間部を有することを特徴とする請求項１記載の光ディスク装置。
【請求項５】
前記隆起部以外の中央領域とレール内部の上面との間の空間部と、前記隆起部以外の中央領域とレール内部の下面との間の空間部とは、略等しいことを特徴とする請求項１記載の光ディスク装置。
【請求項６】
前記隆起部の内側端部は、面取りされていることを特徴とする請求項１記載の光ディスク装置。
【請求項７】
前記隆起部は、前記トレイ案内部の厚み方向に隆起していることを特徴とする請求項１に記載の光ディスク装置。
【請求項８】
前記隆起部は前記レール案内部の上面及び下面に設けられたことを特徴とする請求項１に記載の光ディスク装置。
【請求項９】
前記隆起部の形状は、直方体形状であることを特徴とする請求項１に記載の光ディスク装置。
【請求項１０】
前記隆起部は、前記レール案内部と一体形成されていることを特徴とする請求項１に記載の光ディスク装置。
【発明の詳細な説明】
【技術分野】
【０００１】
本発明は、光ディスクに情報の記録又は再生の少なくとも一方を行う光ディスク装置に関するものである。
【背景技術】
【０００２】
光ディスク装置は、各方面への応用と高性能化への開発が活発に行われている。特に最近では、使用者の用途が多岐に渡り、あらゆる使われ方で支障を生じない光ディスク装置が望まれるようになってきた。電子機器に搭載される光ディスク装置の光ディスクの装着方法としては筐体よりトレイが引き出され、このトレイに光ディスクを取り付け、再び筐体に戻して装着する方式（以下トレイ方式と称する）が一般的である。
【０００３】
ここで、従来のトレイ方式光ディスク装置の構成について、図を用いて説明する。
【０００４】
図１５は、従来の光ディスク装置の外観斜視図である。図１５において、１は光ディスク装置、２は筐体、２ａは上部筐体部、２ｂは下部筐体部、３はトレイ、４は光ピックアップモジュール、５はレール、７はスピンドルモータ、７ａは光ディスク装着部、８はカバー、８ａは開口、９はキャリッジ、１０はベゼル、１１はイジェクトボタン、２０は光ピックアップ、３０はレール保持部、１０６はレール案内部である。
【０００５】
光ディスク装置１は、筐体２と、筐体２に移動自在に保持されたトレイ３を有している。筐体２は、金属製の上部筐体部２ａ、下部筐体部２ｂを組み合わせて袋状であり、筐体２の開口からトレイ３を引き出す又は筐体２の開口に収納する構成となっている。トレイ３には、裏面から光ピックアップモジュール４が取り付けられている。
【０００６】
トレイ３は側面部にレール案内部１０６が設けられており、このレール案内部１０６の外面に沿ってレール５が移動する。また同時に、レール５は筐体２の側面部内面に設置されたレール保持部３０の内側に配置され、このレール保持部３０の内面に沿ってレール５が移動する。このようにすることで、トレイ３を筐体２から引き出すもしくはトレイ３を筐体２に収納することができる。
【０００７】
光ピックアップモジュール４は、光ディスクを回転駆動させるスピンドルモータ７と、スピンドルモータ７から外周にかけて開口８ａを設けたカバー８と、開口８ａから一部が露出したキャリッジ９を少なくとも有している。キャリッジ９は、光ピックアップモジュール４に設けられた複数の案内シャフトに移動自在に保持されており、しかも図示していないフィードモータによって、スピンドルモータ７に近づいたり、離れたりするように移動できる。
【０００８】
トレイ３の前端面に設けられたベゼル１０にはイジェクトボタン１１が設けられており、このイジェクトボタン１１を押すことで、筐体２に設けられた係合部とトレイ３に設けられた係合部との係合を解除し、トレイ３は筐体２から光ディスクが着脱できるよう引き出すことができる。
【０００９】
この分野の先行例として、（特許文献１）等がある。
【特許文献１】特開２００４−１５２４３４号公報
【発明の開示】
【発明が解決しようとする課題】
【００１０】
図１６は、従来のトレイを示す図であり、図１６（ａ）はトレイ単体の外観斜視図、図１６（ｂ）は図１６（ａ）に示すトレイをＲ側面から見た図、図１６（ｃ）は図１６（ｂ）に示すトレイのＲ側面図からレール案内部のみを拡大した図である。図１７は従来のトレイが筐体に収納された状態を示す平面図であり、上部筐体部２ａを取り外した図である。また、図１８は従来のレール案内部とレールとレール保持部の関係を示す断面図であり、図１８（ａ）は図１７に示すＡ´−Ａ´断面図、図１８（ｃ）は図１７に示すＢ´−Ｂ´断面図、図１８（ａ）は図１７に示すＣ´−Ｃ´断面図である。また、図１９は従来のレール案内部とレールの関係を示す断面図であり、図１７に示すＹ´−Ｙ´断面図である。図１９（ａ）はレール案内部が反っていない状態を示し、図１９（ｂ）はレール案内部が反っている状態を示している。図１６〜図１９において、２ｂは下部筐体部、３はトレイ、５はレール、７はスピンドルモータ、７ａは光ディスク装着部、８はカバー、８ａは開口、９はキャリッジ、１０はベゼル、１１はイジェクトボタン、２６は嵌合部、３０はレール保持部、１０６はレール案内部、２０１は隙間である。
【００１１】
電子機器に搭載される光ディスク装置では、光ディスクを光ディスク装着部７ａに対向する面から着脱できるように、トレイ３を筐体２から引き出すもしくはトレイ３を筐体２に収納できるように、レール５とレール案内部１０６とレール保持部３０の関係を図１７〜図１９に示す構成にしている。
【００１２】
図１７に示すトレイ３が筐体２に収納された状態からトレイ３を引き出すためには、まずイジェクトボタン１１を押して、筐体２に設けられた係合部とトレイ３に設けられた係合部との係合を解除し、その後トレイ３を引き出す。トレイ３を一定距離引き出すとレール案内部１０６に設けられた突起とレール５に設けられた突起が接触し、またレール５に設けられた別の突起と筐体２に設けられた突起が接触することでトレイ３が引き出された状態でトレイ３の移動が停止する。
【００１３】
従来の光ディスク装置では、トレイ３を筐体２から引き出すもしくはトレイ３を筐体２に収納する際の操作感覚が滑らかになるように、図１８（ａ）〜図１８（ｃ）、図１９（ａ）に示す断面図のようにレール５とレール案内部１０６の間に、ある程度の隙間２０１を設けている。この隙間２０１を設けることによる影響で、トレイ３が筐体２に収納された状態でも、レール５とレール案内部１０６との間に隙間が生じている。このため、トレイ３を筐体２に収納している場合にも、トレイ３に多少のガタツキが生じている。
【００１４】
また、光ディスク装置に用いるレール案内部１０６は、レール案内部１０６の厚みが薄い場合などに、レール案内部１０６の中央部が図１９（ｂ）に示すように反る場合がある。この場合、レール案内部１０６の一部がレール５の内壁に強く接触し、レール案内部１０６とレール５の接触抵抗が大きくなり、トレイ３を筐体２から引き出すもしくはトレイ３を筐体２に収納する際の操作感覚が重くなる。これを防ぐために、レール案内部１０６の中央部に発生する反り分を考慮して、さらにレール５とレール案内部１０６の間の隙間２０１を大きくする必要がある。このようにすると、トレイ３を筐体２に収納している場合のトレイ３のガタツキはさらに大きくなり、光ディスクに情報の記録又は再生の少なくとも一方を行う際の記録品質もしくは再生品質に影響を与える場合がある。
【００１５】
本発明は、このような従来の課題を解決するものであり、トレイを筐体に収納した場合にはトレイを筐体に確実に固定でき、トレイを筐体に移動する場合にはトレイの移動をスムーズにでき、さらに薄型化が可能な光ディスク装置を提供することを目的とする。
【課題を解決するための手段】
【００１６】
本発明は、上記課題を解決するためになされたものであり、光ディスクを載置するトレイと、トレイを収納する筐体と、トレイを筐体内に移動させるレールとを備え、トレイがレールに沿って移動するレール案内部を有し、このレール案内部の端部領域に隆起部を設けたことを特徴とする光ディスク装置である。
【００１７】
また本発明は、上記課題を解決するためになされたものであり、光ディスクを載置するトレイと、トレイを収納する筐体と、トレイを筐体内に移動させるレールとを備え、トレイがレールに沿って移動するレール案内部を有し、このレール案内部は中央領域に向かうに従って窪んでいることを特徴とする光ディスク装置である。
【発明の効果】
【００１８】
本発明は上記構成によって、レール案内部の端部領域に隆起部を設けることにより、トレイを筐体に収納した場合にレールがレール案内部の隆起部に嵌合するので、トレイを筐体に収納した場合にトレイを筐体に確実に固定できる。また、レール案内部の端部領域に隆起部を設けることにより、トレイを筐体に移動する場合、レールがレール案内部の非隆起部分に沿って移動するので、レール案内部に反りが生じた場合でもトレイの移動をスムーズにできる。また、レール案内部の端部領域に隆起部を設けることにより、レール案内部の隆起部以外の中央領域におけるレール案内部の厚さを薄くできるので、光ディスク装置の薄型化を図ることができる。
【００１９】
そのため、トレイを筐体に収納した場合にはトレイを筐体に確実に固定でき、トレイを筐体に移動する場合にはトレイの移動をスムーズにでき、さらに薄型化が可能な光ディスク装置を実現することができる。
【発明を実施するための最良の形態】
【００２０】
請求項１記載の発明は、光ディスクを載置するトレイと、トレイを収納する筐体と、トレイを筐体内に移動させるレールとを備え、トレイがレールを沿って移動するレール案内部を有し、このレール案内部の端部領域に隆起部を設けたことを特徴とする光ディスク装置である。これによって、レール案内部の端部領域に隆起部を設けることにより、トレイを筐体に収納した場合にレールがレール案内部の隆起部に嵌合するので、トレイを筐体に収納した場合にトレイを筐体に確実に固定できる。また、レール案内部の端部領域に隆起部を設けることにより、トレイを筐体に移動する場合、レールがレール案内部の非隆起部分に沿って移動するので、レール案内部に反りが生じた場合でもトレイの移動をスムーズにできる。また、レール案内部の端部領域に隆起部を設けることにより、レール案内部の隆起部以外の中央領域におけるレール案内部の厚さを薄くできるので、光ディスク装置の薄型化を図ることができる。そのため、トレイを筐体に収納した場合にはトレイを筐体に確実に固定でき、トレイを筐体に移動する場合にはトレイの移動をスムーズにでき、さらに薄型化が可能な光ディスク装置を実現することができる。
【００２１】
請求項２記載の発明は、光ディスクを載置するトレイと、トレイを収納する筐体と、トレイを筐体内に移動させるレールとを備え、トレイがレールを沿って移動するレール案内部を有し、このレール案内部は中央領域に向かうに従って窪んでいることを特徴とする光ディスク装置である。これによって、トレイを筐体に収納した場合にレールがレール案内部の窪みを設けていない端部領域に嵌合するので、トレイを筐体に収納した場合にトレイを筐体に確実に固定できる。また、トレイを筐体に移動する場合、レールがレール案内部の窪み部分に沿って移動するので、レール案内部に反りが生じた場合でもトレイの移動をスムーズにできる。さらに、レール案内部の中央領域におけるレール案内部の厚さを薄くできるので、光ディスク装置の薄型化を図ることができる。さらにまた、レール案内部の中央領域を大きく窪ませ、中央領域以外の領域の窪み量を小さくすることで、レール案内部の厚さを全体的に厚くすることができるので、レール案内部の中央領域自体の反り量を小さく抑えることができる。そのため、トレイを筐体に収納した場合にはトレイを筐体に確実に固定でき、トレイを筐体に移動する場合にはトレイの移動をスムーズにでき、さらに薄型化が可能な光ディスク装置を実現することができる。
【００２２】
請求項３記載の発明は、隆起部の高さがレール内部の高さと略同一であることを特徴とする請求項１記載の光ディスク装置である。これによって、隆起部の高さをレール内部の高さと略同一にすることにより、トレイを筐体内に収納した場合に隆起部がレールの内壁が嵌合するので、トレイの筐体内への収納を確実にできる。
【００２３】
請求項４記載の発明は、隆起部以外の中央領域が、トレイを筐体に収納した場合にレール内部の上面及び下面との間に空間部を有することを特徴とする請求項１記載の光ディスク装置である。これによって、隆起部以外の中央領域がトレイを筐体に収納した場合にレール内部の上面及び下面との間に空間部を有することにより、レール案内部が上下いずれの方向に反ってもレール案内部がレールの内壁にぶつかることを防ぐので、トレイの筐体内への収納をスムーズにすることができる。
【００２４】
請求項５記載の発明は、隆起部以外の中央領域とレール内部の上面との間の空間部と、隆起部以外の中央領域とレール内部の下面との間の空間部とが略等しいことを特徴とする請求項１記載の光ディスク装置である。これによって、隆起部以外の中央領域とレール内部の上面との間の空間部と、隆起部以外の中央領域とレール内部の下面との間の空間部とが略等しいことにより、レール案内部が上下いずれの方向に反っても同量の吸収が可能なので、レール案内部の生成過程で上下いずれの反りが生じた場合でもレール案内部を光ディスク装置の部材として使用できる。
【００２５】
請求項６記載の発明は、隆起部の内側端部が面取りされていることを特徴とする請求項１記載の光ディスク装置である。これによって、隆起部の内側端部を面取りすることにより、隆起部がレール内部へ移動する際に隆起部の内側端部がレール端部とぶつかることを防ぐことができるので、トレイの筐体内への収納をスムーズにすることができる。
【００２６】
請求項７記載の発明は、隆起部がトレイ案内部の厚み方向に隆起していることを特徴とする請求項１に記載の光ディスク装置である。これによって、トレイ案内部の厚み方向に隆起させることにより、トレイ案内部が厚み方向に反ってもトレイを筐体内に収納した場合に隆起部がレールの内壁に嵌合するので、トレイと筐体との間のガタツキを効率良く吸収できる。
【００２７】
請求項８記載の発明は、隆起部がレール案内部の上面及び下面に設けられたことを特徴とする請求項１に記載の光ディスク装置である。これによって、隆起部がレール案内部の上面及び下面に設けることにより、レール案内部の反りが上面側又は下面側のいずれに生じても、レールに対するレール案内部の反り分を吸収できるので、トレイを筐体に収納する際の操作感覚を一定に保つことができる。
【００２８】
請求項９記載の発明は、隆起部の形状が直方体形状であることを特徴とする請求項１に記載の光ディスク装置である。これによって、トレイを筐体に収納する際に、トレイ収納完了直前のレール案内部の隆起部とレールとの摺動性を安定させることができるので、トレイを筐体に収納する際の操作感覚を向上できる。
【００２９】
請求項１０記載の発明は、隆起部がレール案内部と一体形成されていることを特徴とする請求項１に記載の光ディスク装置である。これによって、隆起部をレール案内部と一体形成することにより、隆起部とレール案内部とを同一の金型で成形できるので、レール案内部の製造工程を容易にできる。
【００３０】
（実施の形態１）
以下、本発明の実施の形態１について図面を参照しながら説明する。
【００３１】
図１〜図４は本発明の実施の形態１における光ディスク装置の外観斜視図である。図１は光ディスクを載置するトレイを筐体から引き出した状態を示したものであり、図２は図１に示す光ディスク装置から内部の様子がわかるように上部筐体部を取り外したものである。また、図３は光ディスクを載置するトレイが筐体に収納された状態を示したものであり、図４は図３に示す光ディスク装置から内部の様子がわかるように上部筐体部を取り外したものである。図１〜図４において、１は光ディスク装置、２は筐体、２ａは上部筐体部、２ｂは下部筐体部、３はトレイ、４は光ピックアップモジュール、５はレール、６はレール案内部、７はスピンドルモータ、７ａは光ディスク装着部、８はカバー、８ａは開口、９はキャリッジ、１０はベゼル、１１はイジェクトボタン、２０は光ピックアップ、２３は突起、２４は突起、２６は嵌合部、３０はレール保持部である。
【００３２】
光ディスク装置１は、筐体２と、筐体２に移動自在に保持されたトレイ３を有している。筐体２は、金属製の上部筐体部２ａ、下部筐体部２ｂを組み合わせて袋状であり、筐体２の開口からトレイ３を引き出す又は筐体２の開口に収納する構成となっている。トレイ３には、裏面から光ピックアップモジュール４が取り付けられている。
【００３３】
トレイ３は側面部にレール案内部６が設けられており、このレール案内部６の外面に沿ってレール５が移動する。また同時に、レール５は筐体２の側面部内面に設置されたレール保持部３０の内側に配置され、このレール保持部３０の内面に沿ってレール５が移動する。このようにすることで、トレイ３を筐体２から引き出すもしくはトレイ３を筐体２に収納することができる。
【００３４】
レール保持部３０は、下部筐体部２ｂの内面側に設けられた嵌合部２６を介して、筐体２の側面部内面に設置される。また、レール５はレール保持部３０の内壁面に沿うように配置され、トレイ３を筐体２から引き出すもしくはトレイ３を筐体２に収納する際に、レール５の長手方向に移動する。レール保持部３０に対するレール５の移動範囲は、筐体２に設けられた突起２３とレール５に設けられた突起２４の位置により決定され、筐体２の突起２３とレール５の突起２４が接触することでレール５の移動が止まる。突起２３は、下部筐体部２ｂの主平面の一部を切り取り、それを折り曲げることで形成され、突起２３とレール保持部３０でレール５を挟み込む位置に配置されている。また、突起２４は、レール５の移動を静止させる突起２３よりトレイ３の収納方向側に位置している。
【００３５】
光ピックアップモジュール４は、光ディスクを回転駆動させるスピンドルモータ７と、スピンドルモータ７から外周にかけて開口８ａを設けたカバー８と、開口８ａから一部が露出したキャリッジ９を少なくとも有している。キャリッジ９は、光ピックアップモジュール４に設けられた複数の案内シャフトに移動自在に保持されており、しかも図示していないフィードモータによって、スピンドルモータ７に近づいたり、離れたりするように移動できる。
【００３６】
ベゼル１０はトレイ３の前面に設けられ、筐体２の開口を塞ぐ程度の大きさで構成されている。キャリッジ９には、高出力のレーザーダイオード等の光源，各種光学部材及び光ディスク上に光スポットを構成する対物レンズなどが搭載されている。筐体２の奥部には固定して設けられた回路基板があり、回路基板には信号処理系のＩＣや電源回路などが搭載されている。トレイ３に設けられた図示していない回路基板同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置１内に電力を供給したり、あるいは外部からの信号を光ディスク装置１内に導いたり、あるいは光ディスク装置１で生成された電気信号を電子機器などに送出する。トレイ３の前端面に設けられたベゼル１０にはイジェクトボタン１１が設けられており、このイジェクトボタン１１を押すことで、筐体２に設けられた係合部とトレイ３に設けられた係合部との係合を解除し、トレイ３は筐体２から光ディスクが着脱できるよう引き出すことができる。
【００３７】
トレイ３が筐体２に収納された状態からトレイ３を引き出すためには、まずイジェクトボタン１１を押して筐体２に設けられた係合部とトレイ３に設けられた係合部との係合を解除し、その後トレイ３を引き出す。トレイ３を一定距離引き出すとレール案内部６に設けられた突起とレール５に設けられた突起が接触し、またレール５に設けられた突起２４と筐体２に設けられた突起２３が接触することでトレイ３が引き出された状態でトレイ３の移動が停止する。
【００３８】
次に、トレイが筐体に収納された状態におけるレール５とレール案内部６とレール保持部３０の関係を説明する。
【００３９】
図５は、本発明の実施の形態１におけるトレイを示す図であり、図５（ａ）はトレイ単体の外観斜視図、図５（ｂ）は図５（ａ）に示すトレイをＲ側面から見た図、図５（ｃ）は図５（ｂ）に示すトレイの側面図からレール案内部のみを拡大した図である。図６は本発明の実施の形態１におけるトレイが筐体に収納された状態を示す平面図であり、上部筐体部２ａを取り外した図である。また、図７は本発明の実施の形態１におけるレール案内部とレールとレール保持部の関係を示す断面図であり、図７（ａ）は図６に示すＡ−Ａ断面図、図７（ｂ）は図６に示すＢ−Ｂ断面図、図７（ｃ）は図６に示すＣ−Ｃ断面図である。また、図８は本発明の実施の形態１におけるレール案内部とレールの関係を示す断面図であり、レール案内部が反っていない状態を示し、図６に示すＹ−Ｙ断面図である。図５〜図８において、２ｂは下部筐体部、３はトレイ、５はレール、５ａは上面、５ｂは下面、６はレール案内部、６ａは端部領域、６ｂは中央領域、７はスピンドルモータ、７ａは光ディスク装着部、８はカバー、９はキャリッジ、１０はベゼル、１１はイジェクトボタン、３０はレール保持部、５０は隆起部、５１は上部空間部、５２は下部空間部である。
【００４０】
電子機器に搭載される光ディスク装置では、光ディスクを光ディスク装着部７ａに対向する面から着脱できるように、図１、図２に示すトレイ３を筐体２から引き出すもしくは図３、図４に示すトレイ３を筐体２に収納できるように、レール５とレール案内部６とレール保持部３０の関係を図６〜図８に示す構成にしている。
【００４１】
トレイ３が筐体２に収納された状態からトレイ３を引き出す場合には、まずイジェクトボタン１１を押して筐体２に設けられた係合部とトレイ３に設けられた係合部との係合を解除し、その後トレイ３を引き出す。トレイ３が一定距離引き出されると、レール案内部６に設けられた突起とレール５に設けられた突起が接触し、またレール５に設けられた突起と筐体２に設けられた突起が接触することでトレイ３が引き出された状態でトレイ３の移動が停止する。また、トレイ３が筐体２に引き出された状態からトレイ３を筐体２に収納する場合には、筐体２に設けられた係合部とトレイ３に設けられた係合部が係合するようにトレイ３を筐体２に向かって押し込み、トレイ３の収納を完了させる。このようにすることで、レール案内部６はレール５とトレイ３を移動自在に保持でき、トレイ３を筐体２から引き出すもしくは収納することができる。
【００４２】
ここで、本実施の形態１におけるレール案内部６には、トレイ３を筐体２に収納した場合トレイ３を筐体２に確実に固定でき、またトレイ３を筐体２に移動する場合トレイ３の移動をスムーズにできるように、レール案内部６の長手方向の端部にある端部領域６ａに図７、図８の断面図に示すような隆起部５０を設けた。隆起部５０は、レール案内部６の上面６ｃ及び下面６ｄに設けられ、レール案内部６と一体形成でレール案内部６の厚み方向に隆起させ、レール案内部６に嵌合するレール５の内部の高さと略同一である直方体形状とし、隆起部５０の外側端部を面取りする。また、レール案内部６の中央領域６ｂは、トレイ３を筐体２に収納した場合にレール５内部の上面５ａ及び下面５ｂとの間にそれぞれ空間部、上部空間部５１、下部空間部５２を有し、レール５内部の上面５ａとの間に作られる上部空間部５１と、レール５内部の下面５ｂとの間に作られる下部空間部５２を、略等しい空間とした。
【００４３】
次に、レール案内部６が反っている場合のトレイが筐体に収納されている状態におけるレール５とレール案内部６とレール保持部３０の関係を説明する。
【００４４】
図９は本発明の実施の形態１におけるレール案内部とレールの関係を示す断面図であり、レール案内部がレールの内面の上面側に反っている状態を示し、図６に示すＹ−Ｙ断面図である。図６〜図８において、２ｂは下部筐体部、３はトレイ、５はレール、５ａは上面、５ｂは下面、６はレール案内部、６ａは端部領域、６ｂは中央領域、６ｃは上面、６ｄは下面、７はスピンドルモータ、７ａは光ディスク装着部、８はカバー、９はキャリッジ、１０はベゼル、１１はイジェクトボタン、３０はレール保持部、５０は隆起部、５１は上部空間部、５２は下部空間部である。
【００４５】
図９に示すように、レール案内部６の中央領域６ｂに反りが発生した場合、その反り部はレール５の内部の上面５ａもしくは下面５ｂに接近するが、本実施の形態１では、レール案内部６の長手方向の端部にある端部領域６ａに図７、図８の断面図に示すような隆起部５０を設けているため、レール案内部６の中央領域６ｂの反り分である寸法Ａが隆起部５０の高さである寸法Ｂより小さい場合には、レール案内部６の中央領域６ｂの反り部がレール５の内部の上面５ａもしくは下面５ｂに接触することは無い。このため、トレイ３を筐体２に収納した場合には、レール５がレール案内部６の隆起部５０に嵌合するので、トレイ３を筐体２に収納した場合にトレイ３を筐体２に確実に固定できる。
【００４６】
本実施の形態１では、設けらた隆起部５０がレール案内部６の上面６ｃ及び下面６ｄに位置し、レール案内部６と一体形成でレール案内部６の厚み方向、つまりレール５の内面方向に隆起している。このため、隆起部５０をレール案内部６と一体形成することにより、隆起部５０とレール案内部６とを同一の金型で成形できるので、レール案内部６の製造工程を容易にできる。またトレイ案内部６の厚み方向に隆起させることにより、トレイ案内部６が厚み方向に反っても、図９に示すようにトレイ３を筐体２内に収納した場合に隆起部５０がレール５の内壁に嵌合するので、トレイ３と筐体２との間のガタツキを効率良く吸収できる。さらに、トレイ案内部６の厚み方向に隆起させることにより、レール案内部６の隆起部以外の中央領域６ｂにおけるレール案内部６の厚さを薄くできるので、光ディスク装置の薄型化を図ることができる。
【００４７】
また、本実施の形態１では、設けらた隆起部５０はレール案内部６に嵌合するレール５の内部の高さと略同一である直方体形状とし、隆起部５０の外側端部が面取りされている。このため、隆起部５０の高さをレール５の内部の高さと略同一にすることにより、トレイ３を筐体２内に収納した場合に隆起部５０がレール５の内壁が嵌合するので、トレイ３の筐体２内への収納を確実にできる。
【００４８】
さらに、本実施の形態１では、レール案内部６の中央領域６ｂは、トレイ３を筐体２に収納した場合にレール５内部の上面５ａ及び下面５ｂとの間にそれぞれ空間部、上部空間部５１、下部空間部５２を有し、レール５内部の上面５ａとの間に作られる上部空間部５１と、レール５内部の下面５ｂとの間に作られる下部空間部５２を、略等しい空間としている。このため、隆起部５０以外の中央領域６ｂの一部である上面６ｃとレール５内部の上面５ａとの間の空間部である上部空間部５１と、隆起部５０以外の中央領域６ｂの一部である下面６ｄとレール５内部の下面５ｂとの間の空間部である下部空間部５２とが略等しいことにより、レール案内部６が上下いずれの方向に反っても同量の吸収が可能なので、レール案内部６の生成過程で上下いずれの反りが生じた場合でもレール案内部６を光ディスク装置の部材として使用できる。
【００４９】
なお、本実施の形態１は、レール案内部６がレール５の内面の上面５ａ側に反っている場合について図９を用いて説明したが、レール案内部６がレール５の内面の下面５ｂ側に反る場合でも同様の効果を得ることができる。
【００５０】
次に、レール案内部６が反っている場合の筐体２からトレイ３が引き出される途中の状態におけるレール５とレール案内部６とレール保持部３０の関係を説明する。
【００５１】
図１０は、本発明の実施の形態１におけるレール案内部とレールの関係を示す断面図であり、レール案内部がレールの内面の上面側に反っている状態を示し、図９に示す状態からトレイ３が引き出される途中の状態を示す図である。図１０において、５はレール、５ｃは端部、６はレール案内部、６ａは端部領域、６ｂは中央領域、６ｃは上面、６ｄは下面、５０は隆起部である。
【００５２】
図９に示すように、レール案内部６の中央領域６ｂに反りが発生した場合、その反り部はレール５の内部の上面５ａもしくは下面５ｂに接近するが、本実施の形態１では、レール案内部６の長手方向の端部にある端部領域６ａに図７、図８の断面図に示すような隆起部５０を設けているため、レール案内部６の中央領域６ｂの反り分である寸法Ａが隆起部５０の高さである寸法Ｂより小さい場合には、トレイ３が筐体２に移動する際にレール案内部６の中央領域６ｂの反り部がレール５の内部の上面５ａもしくは下面５ｂに強く接触することは無い。このため、トレイ３を筐体２に移動する場合、レール５とレール案内部６の中央領域６ｂが強く接触することが無くレール５がレール案内部６の非隆起部分に沿って移動するので、レール案内部６に反りが生じた場合でもトレイ３の移動をスムーズにできる。
【００５３】
本実施の形態１では、設けらた隆起部５０がレール案内部６の上面６ｃ及び下面６ｄに位置し、レール案内部６と一体形成でレール案内部６の厚み方向、つまりレール５の内面方向に隆起している。このため、隆起部５０をレール案内部６の上面６ｃ及び下面６ｄに設けることにより、レール案内部６の反りがレール案内部６の上面６ｃ側又は下面６ｄ側のいずれに生じても、トレイ３が筐体２に移動する際にレール５に対するレール案内部６の反り分を吸収できるので、トレイ３を筐体２に収納する際の操作感覚を一定に保つことができる。
【００５４】
また、本実施の形態１では、設けらた隆起部５０はレール案内部６に嵌合するレール５の内部の高さと略同一である直方体形状とし、隆起部５０の内側端部が面取りされている。このため、隆起部５０を直方体形状にしたことにより、トレイ３を筐体２に収納する際に、トレイ３収納完了直前のレール案内部６の隆起部５０とレール５との摺動性を安定させることができるので、トレイ３を筐体２に収納する際の操作感覚を向上できる。また、隆起部５０の内側端部５０ａを面取りすることにより、隆起部５０がレール５の内部へ移動する際に隆起部５０の内側端部５０ａがレール５の端部５ｃとぶつかることを防ぐことができるので、トレイ３の筐体２内への収納をスムーズにすることができる。
【００５５】
さらに、本実施の形態１では、レール案内部６の中央領域は、トレイ３を筐体２に収納した場合にレール５内部の上面５ａ及び下面５ｂとの間にそれぞれ空間部、上部空間部５１、下部空間部５２を有し、レール５内部の上面５ａとの間に作られる上部空間部５１と、レール５内部の下面５ｂとの間に作られる下部空間部５２を、略等しい空間としている。このため、隆起部５０以外の中央領域６ｂがトレイ３を筐体２に収納した場合にレール５内部の上面５ａ及び下面５ｂとの間にそれぞれ空間部、上部空間部５１、下部空間部５２を有することにより、レール案内部６が上下いずれの方向に反ってもレール案内部６がレール５の内壁にぶつかることを防ぐので、トレイ３の筐体２内への収納をスムーズにすることができる。
【００５６】
以上の内容により、トレイ３がレール５に沿って移動するレール案内部６を有し、レール案内部６の端部領域６ａに隆起部５０を設けたことによって、トレイ３を筐体２に収納した場合にレール５がレール案内部６の隆起部５０に嵌合するので、トレイ３を筐体２に収納した場合にトレイ３を筐体２に確実に固定できる。また、トレイ３を筐体２に移動する場合、レール５がレール案内部６の非隆起部分に沿って移動するので、レール案内部６に反りが生じた場合でもトレイ３の移動をスムーズにできる。さらに、レール案内部６の隆起部以外の中央領域６ｂにおけるレール案内部６の厚さを薄くできるので、光ディスク装置の薄型化を図ることができる。そのため、トレイ３を筐体２に収納した場合にはトレイを筐体に確実に固定でき、トレイ３を筐体２に移動する場合にはトレイ３の移動をスムーズにでき、さらに薄型化が可能な光ディスク装置を実現することができる。
【００５７】
なお、本実施の形態１では、設けられる隆起部５０がレール案内部６の上面６ｃ及び下面６ｄに位置し、レール案内部６と一体形成でレール案内部６の厚み方向に隆起しているものとしたが、設けられる隆起部５０はレール案内部６の上面６ｃ及び下面６ｄに位置し、レール案内部６と一体形成でレール案内部６の厚み方向に隆起しているものに限定されるものでは無い。設けられる隆起部５０は、例えばレール案内部６の側面に位置しても良く、またレール案内部６に別部材を貼り付けることにより形成されても良く、またレール案内部６の厚み方向に対して垂直方向に隆起しても良い。レール案内部６の反りが発生する場所やレール案内部６の製造工程を考慮すれば、設けられる隆起部５０はレール案内部６の上面６ｃ及び下面６ｄに位置し、レール案内部６と一体形成でレール案内部６の厚み方向に隆起することが好ましい。
【００５８】
また、本実施の形態１では、設けられる隆起部５０を直方体形状とし、隆起部５０の内側端部が面取りされているものとしたが、設けられる隆起部５０はレール案内部６に嵌合するレール５の内部の高さと略同一である直方体形状とし、隆起部５０の内側端部が面取りされているものに限定されるものでは無い。設けられる隆起部５０は、例えば半球状のものでも良い。トレイ３収納完了直前の隆起部５０とレール５内面との摺動安定性を考慮すれば、設けられる隆起部５０は、レール案内部６に嵌合するレール５の内部の高さと略同一である直方体形状とし、隆起部５０の内側端部を面取りすることが好ましい。
【００５９】
（実施の形態２）
以下、本発明の実施の形態２について図面を参照しながら説明する。
【００６０】
本実施の形態２では、トレイに設けられたレール案内部が中央領域に向かうに従って窪んでいる場合について説明する。本実施の形態２における光ディスク装置全体の構成は、図１〜図４に示す実施の形態１と同様である。
【００６１】
次に、トレイが筐体に収納された状態におけるレール５とレール案内部６とレール保持部３０の関係を説明する。
【００６２】
図１１は、本発明の実施の形態２におけるトレイを示す図であり、図１１（ａ）はトレイ単体の外観斜視図、図１１（ｂ）は図１１（ａ）に示すトレイをＲ側面から見た図、図１１（ｃ）は図１１（ｂ）に示すトレイの側面図からレール案内部のみを拡大した図である。本発明の実施の形態２における筐体にトレイが収納された状態を示す平面図は図６に示す実施の形態１と同様であり、また本発明の実施の形態２におけるレールとレール保持部とレール保持部の関係を示す断面図も図７に示す実施の形態１と同様である。ここで、図７（ａ）は図６に示すＡ−Ａ断面図、図７（ｂ）は図６に示すＢ−Ｂ断面図、図７（ｃ）は図６に示すＣ−Ｃ断面図である。また、図１２は本発明の実施の形態２におけるレール案内部とレールの関係を示す断面図であり、レール案内部が反っていない状態を示し、図６に示すＹ−Ｙ断面図である。図１１、図１２において、５はレール、６はレール案内部、６ａは端部領域、６ｂは中央領域、６ｅは窪みである。
【００６３】
電子機器に搭載される光ディスク装置では、光ディスクを光ディスク装着部７ａに対向する面から着脱できるように、図１、図２に示すトレイ３を筐体２から引き出すもしくは図３、図４に示すトレイ３を筐体２に収納できるように、レール５とレール案内部６とレール保持部３０の関係を図６、図７、図１２に示す構成にしている。
【００６４】
トレイ３が筐体２に収納された状態からトレイ３を引き出す場合には、まずイジェクトボタン１１を押して筐体２に設けられた係合部とトレイ３に設けられた係合部との係合を解除し、その後トレイ３を引き出す。トレイ３が一定距離引き出されると、レール案内部６に設けられた突起とレール５に設けられた突起が接触し、またレール５に設けられた突起と筐体２に設けられた突起が接触することでトレイ３が引き出された状態でトレイ３の移動が停止する。また、トレイ３が筐体２に引き出された状態からトレイ３を筐体２に収納する場合には、筐体２に設けられた係合部とトレイ３に設けられた係合部が係合するようにトレイ３を筐体２に向かって押し込み、トレイ３の収納を完了させる。このようにすることで、レール案内部６はレール５とトレイ３を移動自在に保持でき、トレイ３を筐体２から引き出すもしくは収納することができる。
【００６５】
ここで、本実施の形態２におけるレール案内部６には、トレイ３を筐体２に収納した場合トレイ３を筐体２に確実に固定でき、トレイ３を筐体２に移動する場合トレイ３の移動をスムーズにできるように、レール案内部６が中央領域６ｂに向かうに従って窪んでいくものとした。
【００６６】
次に、レール案内部６が反っている場合のトレイ３が筐体２に収納されている状態におけるレール５とレール案内部６とレール保持部３０の関係を説明する。
【００６７】
図１３は本発明の実施の形態２におけるレール案内部とレールの関係を示す断面図であり、レール案内部がレールの内面の上面側に反っている状態を示し、図６に示すＹ−Ｙ断面図である。図１３において、５はレール、５ａは上面、５ｂは下面、６はレール案内部、６ｂは中央領域、６ｅは窪みである。
【００６８】
図１３に示すように、レール案内部６の中央領域６ｂに反りが発生した場合、その反り部はレール５の内部の上面５ａもしくは下面５ｂに接近するが、本実施の形態２では、レール案内部６が中央領域６ｂに向かうに従って窪んでいくため、レール案内部６の中央領域６ｂの反り分がレール案内部６の中央領域６ｂに位置する窪み６ｅの深さより小さい場合には、レール案内部６の中央領域６ｂの反り部がレール５の内部の上面５ａもしくは下面５ｂに接触することは無い。このため、トレイ３を筐体２に収納した場合には、レール５がレール案内部６の隆起部５０に嵌合するので、トレイ３を筐体２に収納した場合にトレイ３を筐体２に確実に固定できる。また、レール案内部６が中央領域６ｂに向かうに従って窪んでいくことで、レール案内部６の厚さを全体的に厚くすることができるので、レール案内部６の中央領域６ｂ自体の反り量を小さく抑えることができる。
【００６９】
なお、本実施の形態１は、レール案内部６がレール５の内面の上面５ａ側に反っている場合について図１３を用いて説明したが、レール案内部６がレール５の内面の下面５ｂ側に反る場合でも同様の効果を得ることができる。
【００７０】
次に、レール案内部６が反っている場合のトレイ３が筐体２から引き出される途中の状態におけるレール５とレール案内部６とレール保持部３０の関係を説明する。
【００７１】
図１４は、本発明の実施の形態２におけるレール案内部とレールの関係を示す断面図であり、レール案内部がレールの内面の上面側に反っている状態を示し、図１３に示す状態からトレイ３が引き出される途中の状態を示す図である。図１４において、５はレール、５ａは上面、５ｂは下面、６はレール案内部、６ｂは中央領域、６ｅは窪みである。
【００７２】
図１４に示すように、レール案内部６の中央領域６ｂに反りが発生した場合、その反り部はレール５の内部の上面５ａもしくは下面５ｂに接近するが、本実施の形態２では、レール案内部６が中央領域６ｂに向かうに従って窪んでいくため、レール案内部６の中央領域６ｂの反り分がレール案内部６の中央領域６ｂに位置する窪み６ｅの深さより小さい場合、トレイ３が筐体２に移動する際にレール案内部６の中央領域６ｂの反り部がレール５の内部の上面５ａもしくは下面５ｂに強く接触することは無い。このため、トレイ３を筐体２に移動する場合、レール５とレール案内部６の中央領域６ｂが強く接触することが無くレール５がレール案内部６の非隆起部分に沿って移動するので、レール案内部６に反りが生じた場合でもトレイ３の移動をスムーズにできる。
【００７３】
以上の内容により、トレイ３がレール５に沿って移動するレール案内部６を有し、レール案内部６が中央領域６ｂに向かうに従って窪んでいくものとしたことによって、トレイ３を筐体２に収納した場合にレール５がレール案内部６の窪み６ｅを設けていない端部領域６ａに嵌合するので、トレイ３を筐体２に収納した場合にトレイ３を筐体２に確実に固定できる。また、トレイ３を筐体２に移動する場合、レール５がレール案内部６の窪み部分に沿って移動するので、レール案内部６に反りが生じた場合でもトレイ３の移動をスムーズにできる。さらに、レール案内部６の中央領域６ｂにおけるレール案内部６の厚さを薄くできるので、光ディスク装置の薄型化を図ることができる。そのため、トレイ３を筐体２に収納した場合にはトレイ３を筐体２に確実に固定でき、トレイ３を筐体２に移動する場合にはトレイ３の移動をスムーズにでき、さらに薄型化が可能な光ディスク装置を実現することができる。
【産業上の利用可能性】
【００７４】
本発明は、トレイを筐体に収納した場合にはトレイを筐体に確実に固定でき、トレイを筐体に移動する場合にはトレイの移動をスムーズにできるため、光ディスクに情報の記録又は再生の少なくとも一方を行う光ディスク装置などに適応可能である。
【図面の簡単な説明】
【００７５】
【図１】本発明の実施の形態１における光ディスク装置の外観斜視図
【図２】本発明の実施の形態１における光ディスク装置の外観斜視図
【図３】本発明の実施の形態１における光ディスク装置の外観斜視図
【図４】本発明の実施の形態１における光ディスク装置の外観斜視図
【図５】本発明の実施の形態１におけるトレイを示す図
【図６】本発明の実施の形態１におけるトレイが筐体に収納された状態を示す平面図
【図７】本発明の実施の形態１におけるレール案内部とレールとレール保持部の関係を示す断面図
【図８】本発明の実施の形態１におけるレール案内部とレールの関係を示す断面図
【図９】本発明の実施の形態１におけるレール案内部とレールの関係を示す断面図
【図１０】本発明の実施の形態１におけるレール案内部とレールの関係を示す断面図
【図１１】本発明の実施の形態２におけるトレイを示す図
【図１２】本発明の実施の形態２におけるレール案内部とレールの関係を示す断面図
【図１３】本発明の実施の形態２におけるレール案内部とレールの関係を示す断面図
【図１４】本発明の実施の形態２におけるレール案内部とレールの関係を示す断面図
【図１５】従来の光ディスク装置の外観斜視図
【図１６】従来のトレイを示す図
【図１７】従来のトレイが筐体に収納された状態を示す平面図
【図１８】従来のレール案内部とレールとレール保持部の関係を示す断面図
【図１９】従来のレール案内部とレールの関係を示す断面図
【符号の説明】
【００７６】
１    光ディスク装置
２    筐体
２ａ    上部筐体部
２ｂ    下部筐体部
３    トレイ
４    光ピックアップモジュール
５    レール
５ａ    上面
５ｂ    下面
５ｃ    端部
６    レール案内部
６ａ    端部領域
６ｂ    中央領域
６ｃ    上面
６ｄ    下面
６ｅ    窪み
７    スピンドルモータ
７ａ    光ディスク装着部
８    カバー
８ａ    開口
９    キャリッジ
１０    ベゼル
１１    イジェクトボタン
２０    光ピックアップ
２３    突起
２４    突起
２６    嵌合部
３０    レール保持部
５０    隆起部
５０ａ    内側端部
５１    上部空間部
５２    下部空間部
１０６    レール案内部
２０１    隙間
【図１】
2007280521.tif 000003
【図２】
2007280521.tif 000004
【図３】
2007280521.tif 000005
【図４】
2007280521.tif 000006
【図５】
2007280521.tif 000007
【図６】
2007280521.tif 000008
【図７】
2007280521.tif 000009
【図８】
2007280521.tif 000010
【図９】
2007280521.tif 000011
【図１０】
2007280521.tif 000012
【図１１】
2007280521.tif 000013
【図１２】
2007280521.tif 000014
【図１３】
2007280521.tif 000015
【図１４】
2007280521.tif 000016
【図１５】
2007280521.tif 000017
【図１６】
2007280521.tif 000018
【図１７】
2007280521.tif 000019
【図１８】
2007280521.tif 000020
【図１９】
2007280521.tif 000021